(57)【要約】      （修正有）【課題】主に給油所に設置して走行車両に向けて燃料の単価を表示する装置において、油種名と油種との組み合わせによる複数通りの価格を表示する際に、表示装置の表示面の大きさ等に起因する制約を受けることなく、多種類の支払い種別に対応する油種毎の価格を十分に伝達することが可能な表示装置を提供する。【解決手段】複数配置した発光素子を制御することで商品情報とその価格情報を発光表示する表示装置において、商品の種類を表示する油種表示部を備え、油種表示部は、「軽油」および「灯油」表示を選択して行う表示部の文字部を重ねた形状のドットパターンとした。また、商品の価格を表示する価格表示部に並設配置する補助表示部を備え、補助表示部は、「円／Ｌ」および「円／１８Ｌ」表示を選択して行う表示部の文字部を重ねた形状のドットパターンとした。【選択図】図４
0003225025.tif 000002
【実用新案登録請求の範囲】
【請求項１】
複数配置した発光素子を制御することで商品情報とその価格情報を発光表示する表示装置において、商品の種類を表示する油種表示部を備え、前記油種表示部は、「軽油」表示および「灯油」表示を選択して行う表示部の文字部を重ねた形状のドットパターンとしたことを特徴とする表示装置。
【請求項２】
複数配置した発光素子を制御することで商品情報とその価格情報を発光表示する表示装置において、商品の価格を表示する価格表示部に並設配置する補助表示部を備え、前記補助表示部にあって、「円/L」表示および「円/18L」表示を選択して行う表示部の文字部を重ねた形状のドットパターンとしたことを特徴とする表示装置。
【考案の詳細な説明】
【技術分野】
【０００１】
本考案は、路側や店舗敷地内に設置し、商品名とその価格等に関する伝達情報を発光表示する表示装置に関するもので、特に、給油所に設置されてレギュラーガソリン、ハイオクガソリン、軽油、灯油の単価を表示する表示装置に関する。
【背景技術】
【０００２】
給油所における燃料の価格は原油価格の変動を受けて比較的頻繁に変動するため、給油所構内には、最新の燃料単価を通行車両の乗員に向けて表示する表示装置が設置されている。その表示方式としては、特許文献１に示すように７セグメント表示方式によりマグネット表示素子を組み合わせて装着することで所望の数字を表示する方式、あるいは０から９までのセットからなる数字板３組とその数字板を差し込む３桁分の装着部を有する表示板とを用意し、数字板を装着部に差し換えることで表示する方式、あるいは発光ダイオード（ＬＥＤ）を配列して７セグメント表示部を構成し所望の数字を発光表示する方式等がある。
【先行技術文献】
【特許文献】
【０００３】
【特許文献１】特開平９−１７１３５２号
【特許文献２】特開平８−３０１３９５号
【特許文献３】特開平１０−１０９８６号
【考案の概要】
【考案が解決しようとする課題】
【０００４】
このように各種の表示方式が存在している中で、表示装置に求められる本質的機能とも言える視認性を優先した場合には、ＬＥＤ等の自発光素子による発光表示方式が有利となる。特に給油所において多く求められる走行中の車両運転手に遠方より情報伝達を図るという目的に対しては、このＬＥＤ発光表示方式が適していると考えられる。そのため、これまで数多くの発光表示式装置が提案されている。
【０００５】
ところで、ＬＥＤ発光表示方式を用いた発光表示式装置は、多くのＬＥＤを使用するため、コストがかさむだけでなく、「レギュラー」、「ハイオク」、「軽油」、「灯油」といった４油種を表示させる場合には、大型の表示装置にせざるをえず、トラックにて運搬する際に道路交通法上の最大高さを越えてしまう問題があった。
【０００６】
本考案は上記の問題点に対処してなされたものであり、主に給油所に設置して走行車両に向けて燃料の単価を表示する装置において、商品の油種名と油種との組み合わせによる複数通りの価格を表示する際に、表示装置の表示面の大きさに起因するコスト増加といった制約を受けることなく、多種類の油種名と油種名に対応する油種毎の価格を十分に伝達することが可能な表示装置を提供することを目的としている。
【課題を解決するための手段】
【０００７】
上記の目的を達成するために本考案は、複数配置した発光素子を点灯・点滅制御することで商品情報とその価格情報を発光表示する表示装置において、発光素子をドットマトリクス状に配列して形成するドットマトリクス表示部と、商品の油種を表示する油種表示部と、商品の価格を表示する価格表示部と、前記価格表示部に並設配置する補助表示部を備え、表示部にあって、文字部を重ねた形状のドットパターンとしたことを特徴とする表示装置を提案する。
【考案の効果】
【０００８】
本考案では、発光素子をドットマトリクス状に配列したドットマトリクス表示部と、商品の種類を表示する油種表示部と、商品の価格を表示する価格表示部と、この価格表示部に並設して配置する補助表示部とを備える。そして、多種類ある油種別に対応する油種毎の価格を表示上の制約を受けることなく１台の表示装置で表示することができる。
【図面の簡単な説明】
【０００９】
【図１】本考案実施例に係る表示装置の外観図である。
【図２】本考案実施例に係る表示装置の油種表示部の拡大図である。
【図３】本考案実施例に係る表示装置の補助表示部の拡大図である。
【図４】本考案実施例に係る表示装置の表示内容切替図である。
【図５】本考案実施例に係る表示装置のシステム構成図である。
【考案を実施するための形態】
【００１０】
以下、本考案の好適な実施形態について図面を参照しながら説明する。図１は本考案実施例に係る表示装置の外観を示す説明図である。１は表示装置本体であり、移動架台２を構成する水平方向の図示しない固定用フレームに表示装置本体１の下面部を固定し、移動架台２に対して垂直な姿勢で固定保持されている。移動架台２は、上面視矩形状にフレームを組んだ架台ベースと、架台ベースの下面側に取り付けた移動用のキャスターと、固定設置用のアジャスターとで構成され、架台ベース上に表示装置を一体的に固定した状態で移動と固定設置を可能にしている。移動架台２に取り付ける表示装置本体は、消防法の規定に従い、表示装置内部に収容する電装部の最低地上高を地面から６００ｍｍ以上の高さに保持した状態としている。表示装置本体１は、上下左右４辺がフレーム材４で囲まれた状態でその表示面が構成され、表面と裏面に表示面を設けた両面表示、あるいは片面のみに表示面を設けた片面表示の何れの仕様も対応可能にしている。
【００１１】
４はドットマトリクス表示部であり、ＬＥＤ（発光ダイオード）をドットマトリクス状に配列して構成し、配列したＬＥＤを選択的に点滅駆動することにより文字や画像の表示を可能にしている。表示する内容としては、支払い種別を表す表示や販売促進用のメッセージ表示を行う。支払い種別を表す表示としては、会員限定価格を意味する「会員価格」、販売促進用のメッセージ表示においては「冬タイヤセール中」等を表示する。
この時、ドットマトリクス表示部はバックライトを用いた内照看板や液晶表示部を用いてもよい。
【００１２】
５は油種表示部であり、複数のＬＥＤを配列して構成している。図２のように、「軽油」表示および「灯油」表示を行う文字部を重ねた形状のドットパターンとして配置し、１枚のパネルにて２つの油種を発光表示可能にしている。これにより、普段は「レギュラー」、「ハイオク」、「軽油」を表示させている場合でも、冬期になり灯油の価格表示がしたくなった場合には、「軽油」と「灯油」の表示を切り替えることが出来る。６は価格表示部であり、複数のＬＥＤを配列して構成する７セグメント表示パターンを横並びに配置し、「０００」から「１９９９」までの３から４桁の数字を発光表示可能にしている。この価格表示部は、縦方向に３段に重ねて配置され、３から４桁の数値を同時に３種類表示できるようにしている。
【００１３】
７は補助表示部であり、価格表示部６の横に並設配置し、価格表示部６に表示する数値が何を意味する数値であるかを示す役割を担っている。この補助表示部７は、油種の価格単価の表示を行うものであり、３段に配置される各補助表示部に上から順に「円/L」「円/L」「円/18L」と表示すれば、それぞれの横に並んで配置される価格表示部に表示される数値は油種の価格を表す意味となる。補助表示部７は、図３のように、「円/L」表示および「円/18L」表示を自由に切り替えられるように、「円/L」表示および「円/18L」表示を行う文字部を重ねた形状のドットパターンとして配置し、１枚のパネルにて２つの単価を発光表示可能にしている。また、本表示装置の場合、灯油の価格が1999円/18Lまでしか表示できない。つまり1999円/18Lを超えた場合には灯油価格の表示が出来ず、油種毎の価格を十分に伝達することが不可能となる場合があったが、本機能により、例えば1998円/18Lを越えて2016円/18Lとなった場合には、価格表示部と補助表示部の表示を112円/Lと切り替えることにより、灯油価格の表示を継続することも出来る。
【００１４】
なお、図４のような表示の切り替えを行う場合には、図５のように、操作リモコン８を、リモコン受信部１３へ向け操作する。リモコン受信部１３へ信号が到達すると、記憶部１１から制御部１２によって信号が価格表示部駆動部１０に伝達され、表示が切り替わる構成となっている。また、例えばUSBメモリのような記憶媒体９を記憶媒体読み込み部１４に挿し込むことによって、信号が記憶部１１から制御部１２を通して価格表示部駆動部１０に伝達されるほか、これらの表示を一定時間ごとに制御部１２によって自動で切り替えることや、表示装置に設けた図示しない切り替えスイッチによって切り替えられることも当然、想定できる。また、図４のような切り替えパターン以外にも、灯油円/Lと軽油円/Lの切り替えや、灯油円/18Lと軽油円/Lの切り替えも想定できる。
【産業上の利用可能性】
【００１５】
本考案に係る表示装置の活用例としては、路側や店舗敷地内に設置し、商品名とその価格等に関する伝達情報を発光表示する表示装置全般に適用することができる。
【符号の説明】
【００１６】
１  表示装置本体
２  移動架台
３  フレーム
４  ドットマトリクス表示部
５  油種表示部
６  価格表示部
７  補助表示部
８  操作リモコン
９  記憶媒体
１０  価格表示部駆動部
１１  記憶部
１２  制御部
１３  リモコン受信部
【図１】
0003225025.tif 000003
【図２】
0003225025.tif 000004
【図３】
0003225025.tif 000005
【図４】
0003225025.tif 000006
【図５】
0003225025.tif 000007